(57)【要約】【課題】  ＬＥＤヘッド近傍に配設される現像器を、装置本体から取り外す際に、ＬＥＤヘッドをこれらの部材から離間した位置に移動させておくことによって、現像器の取り外し処理時に、ＬＥＤヘッドにトナーが付着して汚すことを防止する。【解決手段】  一様に帯電された感光体ドラム１１の表面に、光を照射して静電潜像輪形成するためにＬＥＤヘッド１５を用い、前記静電潜像を現像器７に収容したトナーで現像してなる画像形成装置１であって、前記ＬＥＤヘッド１５を、前記感光体ドラム１１に近接させた書き込み位置と、大きく離間させた離間位置との間で移動可能に設け、前記装置本体から現像器７を取り外す動作に連動させて、前記ＬＥＤヘッド１５を離間位置に移動させるように構成した。【選択図】          図８
2006018126.tif 000002
【特許請求の範囲】
【請求項１】
一様に帯電された感光体ドラムの表面に画像の光を照射して静電潜像を形成するために、ＬＥＤヘッドを用い、前記静電潜像を現像器に収容したトナーで現像してなる画像形成装置であって、
前記ＬＥＤヘッドを、前記感光体ドラムに接近させた書込み位置と、大きく離間させた離間位置との間で移動可能に設け、
前記現像器を画像形成装置の装置本体から取り外す動作に連動させて、前記ＬＥＤヘッドを感光体ドラムから離間させた位置に移動させるように構成したことを特徴とする画像形成装置。
【請求項２】
前記現像器は、前記装置本体のフロント側から挿通可能であり、
前記現像器が装置本体に保持されるときに、前記ＬＥＤヘッドを前記書込み位置に移動させることを特徴とする請求項１に記載の画像形成装置。
【請求項３】
前記現像器を装着する動作と、前記ＬＥＤヘッドを感光体ドラムに対して近接させる動作を連動させる手段はワイヤであって、
前記ワイヤの一端が前記装置本体の現像器装着部に配設した揺動部材に取付けられ、他端がＬＥＤヘッドを押圧する押圧部材に取付けられることを特徴とする請求項１または２に記載の画像形成装置。
【発明の詳細な説明】
【技術分野】
【０００１】
本発明は、一様に帯電された感光体ドラムに静電潜像を形成するために、書込み手段として発光ダイオード（ＬＥＤ）ヘッドを用いた画像形成装置に関し、特に、装置本体から現像器を取り外す動作に連動させて、ＬＥＤヘッドを感光体ドラムから離間させるようにした画像形成装置に関する。
【背景技術】
【０００２】
画像形成装置において、感光体ドラムに画像情報を書き込みするために、書込み装置としてレーザ光を用いた装置を用いる他に、発光ダイオード（ＬＥＤ）を用いた装置を用いることも一般的に行われている。このＬＥＤを用いた書込み装置においては、ＬＥＤ素子にレンズ集合体（セルフォックレンズ）とを組み合わせており、感光体ドラムの表面に対して点状に光を照射するように設けている。そして、画像形成装置の画像情報出力回路からＬＥＤ素子の各々に画像情報が伝達され、一様に帯電された感光体ドラムに対して、点状に画像の光が照射されて静電潜像が形成される。この静電潜像に対して、現像ローラからトナーが供給されることにより、静電潜像がトナー画像として可視像化され、用紙に対する転写位置では、用紙の裏面からトナーと逆極性の電圧が印加されることにより、前記感光体ドラムに担持されているトナー画像が用紙に転写される。前記トナー画像を担持した用紙を、定着装置を通して定着することで、記録紙として排出トレイに向けて排出される（例えば、特許文献１を参照）。
【特許文献１】特開２００３−２５５８０５号公報
【発明の開示】
【発明が解決しようとする課題】
【０００３】
前述したようなＬＥＤヘッドを用いた画像形成装置においては、ＬＥＤ素子から照射される光の焦点距離が短いために、ＬＥＤヘッドの光照射面を感光体ドラム表面に近接させて配置しなければならず、また、感光体ドラム上の静電潜像を現像するために、現像器の現像ローラを感光体ドラムに近接または接触させなければならない。ところが、前記感光体ドラムおよび現像器は消耗品であり、これらの部材の本来の作用が正常に行われないときには、これ等の部材を装置本体から取り外して、正常なものと交換されることが必要とされる。しかしながら、前記感光体ドラムおよび現像器は、ＬＥＤヘッドに近接して配置されているため、これらの部材を装置本体から取り外す際に、感光体ドラム表面や現像ローラの表面に付着しているトナーが遊離し、ＬＥＤヘッドの光照射面に付着して、汚れが障害となるおそれがあった。
【０００４】
本発明は、ＬＥＤヘッドの近傍に配置される現像器を装置本体から取り外す際に、ＬＥＤヘッドをこれ等の部材から離間させた位置に移動させることにより、ＬＥＤの先端部のレンズ等にトナーが付着して、汚れが発生することを防止可能な装置を提供することを目的としている。
【課題を解決するための手段】
【０００５】
本発明は、一様に帯電された感光体ドラムの表面に画像の光を照射して静電潜像を形成するために、ＬＥＤヘッドを用い、前記静電潜像を現像器に収容したトナーで現像してなる画像形成装置に関する。
請求項１の発明は、前記ＬＥＤヘッドを、前記感光体ドラムに接近させた書込み位置と、大きく離間させた離間位置との間で移動可能に設け、
前記現像器を画像形成装置の装置本体から取り外す動作に連動させて、前記ＬＥＤヘッドを感光体ドラムから離間させた位置に移動させるように構成したことを特徴とする。
【０００６】
請求項２の発明は、前記現像器は、前記装置本体のフロント側から挿通可能であり、
前記現像器が装置本体に保持されるときに、前記ＬＥＤヘッドを前記書込み位置に移動させることを特徴とする。
【０００７】
請求項３の発明は、前記現像器を装着する動作と、前記ＬＥＤヘッドを感光体ドラムに対して近接させる動作を連動させる手段はワイヤであって、
前記ワイヤの一端が前記装置本体の現像器装着部に配設した揺動部材に取付けられ、他端がＬＥＤヘッドを押圧する押圧部材に取付けられることを特徴とする。
【発明の効果】
【０００８】
本発明によれば、画像形成装置の記録部に配置している現像器を取り外す際に、ＬＥＤヘッドを感光体ドラムから自動的に離間させることができる。したがって、画像形成装置のメンテナンスを行う際、特に、現像器を装置本体から取り外す際には、現像器からトナーが舞い散る状態となるが、前述したように、ＬＥＤヘッドを感光体ドラムから離間させるので、ＬＥＤヘッドの光照射面がトナーによって汚されることを防止できる。このように、現像器を装置本体の記録部から取り外す際に、ＬＥＤヘッドを感光体ドラムから自動的に離間させておくことにより、オペレータが現像器を取り外す際に、ＬＥＤヘッドを離間させるための操作を余分に行う必要がなくなる。
【発明を実施するための最良の形態】
【０００９】
以下に説明する画像形成装置は、電子写真方式を用いて用紙に画像を記録する画像形成装置を対象としている。また、単一の機能のみを有するプリンタ、複写機の他に、ファクシミリやプリンタの機能を複写機に複合した複合機を対象とすることができる。以下の実施例として説明する画像形成装置においては、一様に帯電された感光体ドラムの表面に画像の書き込みを行うために、ＬＥＤヘッドを用いている。
【実施例】
【００１０】
図示される例にしたがって、本発明の実施の一形態の画像形成装置の概略構成を説明する。図１に示す画像形成装置１は、プリンタ機能を有する小型の装置として構成されている装置である。そして、この画像形成装置１に画像読取装置を接続することによって、複写機としての機能を持たせることができる。また、ＦＡＸモデムを装備することにより、ファクシミリ装置としての機能を持たせることもできる。
【００１１】
前記画像形成装置１において、装置本体の下部の給紙部と、上部に設けている排出トレイ１９との間に、略垂直方向に延びる用紙搬送路４が設けられている。前記給紙部には、給紙トレイ２が装着され、給紙トレイ２に収容されている用紙の束の上のものから、給紙ローラ３によって１枚ずつ用紙が分離され、用紙が用紙搬送路４に送り出される。前記送り出された用紙は、レジストローラ装置５に一時的に保持されて停止され、感光体ドラム１１に形成されたトナー画像にタイミングを合わせて、再び送り出される。
【００１２】
前記レジストローラ装置５の用紙搬送方向の下流部（図１の上側）には、記録部１０が設けられており、前記記録部１０には、感光体ドラム１１、クリーニング装置１２、帯電部材１３および転写ローラ１４が、それぞれの配置関係にしたがって設けられている。さらに、前記感光体ドラム１１に画像情報の書き込みを行うために、ＬＥＤヘッド１５が感光体ドラム１１に近接して設けられている。前記ＬＥＤヘッド１５の感光体ドラム側の端部には、複数個の発光素子（ＬＥＤ）の発光面側にセルフォックレンズを貼り合わせており、少なくとも画像形成時（書き込みを行う状態）には、その発光面が感光体ドラム１１の表面に対して、８〜１０ｍｍ程度まで近接した位置に位置決めされる。また、ＬＥＤヘッド１５よりも感光体ドラム１１の回転方向の下流部では、トナーを供給するための現像ローラ８が配置されている。
【００１３】
前述したように構成してなる記録部１０においては、感光体ドラム１１に対して帯電部材１３が放電することで、感光体ドラム１１の表面が一様に帯電され、書き込み部材としてのＬＥＤヘッド１５から出力される光信号によって、感光体ドラム１１の感光層に静電潜像が形成される。この静電潜像に対して、現像ローラ８からトナーを供給し、そのトナーが静電潜像に付着されることによって、トナー画像として可視像化される。前記感光体ドラム１１上のトナー画像の先端部が、転写ローラ１４とのニップ位置に達する動作にタイミングに合わせて、レジストローラ装置５が駆動されて、用紙が画像転写位置に送られる。そして、前記感光体ドラム１１と転写ローラ１４の間に用紙をニップする状態で、搬送される用紙の裏面側から、転写ローラ１４により転写電圧が印加されることによって、トナー画像が用紙に転写される。前記トナー画像を担持した用紙は、定着装置１６に向けて送り出されて、定着の作用が行われる。
【００１４】
前記現像ローラ８を備える現像器７は、図示されているように、装置本体の現像器７を装着するスペースが上下方向に狭いものであることから、上下方向に薄くて、左右方向に巾の広いトナー収容ケーシングを有している。前記ケーシングは図示されるように、左右方向に連通される複数の室を持つように構成され、前記トナー収容室の各々の内部には、回転軸が各々平行になるように配置され、各回転軸にはトナーを攪拌しながら送り出すためのパドル９を各々設けており、前記パドル９によりトナーを現像ローラ８に向けて送るようにする。そして、現像ローラ８に向けて送られるトナーが、前記現像ローラ８に薄層として担持され、感光体ドラム１１に接する位置で、前記トナーを静電潜像に転移させることによって、可視像化されたトナー画像が感光体ドラム１１の表面に形成される。
【００１５】
前記記録部１０に続いて配置される定着装置１６では、トナー画像を担持した用紙に対して加熱と加圧作用とを付与し、熱で溶融させたトナーを用紙に押圧して定着する。そして、前記定着装置１６を通過してトナー画像が定着された用紙は、排出路１７を通って排出ローラ装置１８により、排出トレイ１９上に記録紙（コピー）として排出する。なお、本実施例の画像形成装置１は、表面画像記録された用紙をその表裏を反転させて、別経路を通して記録部に戻してから、用紙の裏面にも画像を記録して、両面記録が可能な装置として構成されている。
【００１６】
前記画像形成装置１において、両面に画像を記録可能に構成するために、前記排出路１７の端部に配置している排出ローラ装置１８を、正逆方向に回転させ得るように構成している。前記定着装置１６から排出ローラ装置１８に至る排出路１７には、その所定の位置に設けた切換ゲート２１を介して分岐部を設け、戻し路２０に連結している。そして、前記定着装置１６を出た表面記録済みの用紙（片面コピー用紙）は、その紙自身の腰の強さにより切換ゲート２１を押し上げながら排出路１７に移動し、正回転している排出ローラ装置１８によって排出トレイ１９上に排出されることになる。これに対して、用紙の裏面に画像を形成して、両面コピーを作成する場合には、用紙の後端部が排出ローラ装置１８にニップされている状態で、前記排出ローラ装置１８を逆回転させて、排出路１７内の用紙を逆方向に戻すようにする。
【００１７】
前記排出ローラ装置１８を逆回転させることにより、排出路１７を戻される用紙は、排出路１７および切換ゲート２１の上面を通って、戻し路２０内を搬送され、前記戻し路２０内に配設された搬送ローラ装置２２、２２ａにより、用紙は再び記録部１０に向けて送られる。このときに、用紙の裏面が感光体ドラム１１の表面に望んでおり、用紙の表面に記録する時と同様に、記録部１０で用紙の裏面に画像が記録されることになる。なお、本実施例の画像形成装置１において、給紙トレイ２５を配設しており、給紙ローラ２６によって送り込むことで、記録部１０に向けて給紙することも可能としている。
【００１８】
前記感光体ドラム１１および現像器７は、いずれも消耗品であり、感光体ドラム１１が使用により劣化したり、現像器７のケーシング内のトナーが不足して、その本来の機能を発揮できなくなった時には、画像形成装置のオペレータによって交換される。これらの消耗品１１、７は、装置本体のフロント側に取付けたフロントカバーが開かれた状態で、装置のフロント側に引き抜かれて装置本体から取り外され、装置本体の奥の側（リヤ側）に押し込まれて、その押し込まれた位置に保持されるように構成されている。
【００１９】
本発明は、前記感光体ドラム１１または現像器７を装置本体から取り外す際に、前記感光体ドラム１１や現像ローラ８に付着しているトナーが舞い散り、ＬＥＤヘッド１５のレンズ面を汚染するという問題を解決しようとしているものである。このために、前記消耗品１１、７を装置本体から取り外す際には、ＬＥＤヘッド１５をこれらの消耗品１１、７から離間させておくことを要旨としているのである。前記ＬＥＤヘッド１５は、図２〜図５に示すような構成を有するものであり、図２の分解斜視図に示すような複数の構成部品を、図３の組み立て斜視図に示すように組み立てている。装置本体のフレーム４０に取付けられるＬＥＤヘッド１５は、ＬＥＤ本体３０、保持枠部材３３、被押圧板４２および、これらを組立るための各機能部品としてのネジ部材３６ｂ、コイルバネ３８、４３とから構成されている。
【００２０】
前記ＬＥＤ本体３０の筐体内に、複数のＬＥＤ素子を配列した基板が収容されており、そのＬＥＤ素子の発光面側に、光出力部としてのセルフォックレンズ３１が、ＬＥＤ本体３０に筐体の下端面よりも突出して固定されている。前記セルフォックレンズ３１の端部が、感光体ドラム１１の表面に対して、約８〜１０ｍｍの間隔を持たせるように位置決めされた状態で、感光体ドラム１１の表面に向けて、画像情報に応じた光信号が出力されてドット状に書き込む動作が行われる。
【００２１】
図４および図５に示すように、ＬＥＤ本体３０の筐体の長手方向両側壁に、外側に突出する突部材３２が形成されている。前記ＬＥＤ本体３０は、その周囲と上部とが、フレーム４０と保持枠部材３３等により囲まれた状態で、前記突部材３２を保持枠部材３３の両側板３４に穿設したガイド孔３５にはめ込んだ状態で、このガイド孔３５の長手方向（図５の上下方向）に、摺動自在に保持枠部材３３に保持されている。前記保持枠部材３３の天板３３ａの長手方向両端から、上突部材３７が上側に突出されており、前記上突部材３７の内部に図示を省略する円柱状の凹所が形成されている。前記上突部材３７の凹所内に圧縮コイルバネ３８が介挿され、この圧縮コイルバネ３８は、ＬＥＤ本体３０の筐体の上面を押圧するように作用する。さらに、前記ガイド孔３５を画定する下面に、ＬＥＤ本体３０の突部材３２の下面が当接し、ＬＥＤ本体３０の保持枠部材３３に対する位置決めがなされる。
【００２２】
前記保持枠部材３３に保持されたＬＥＤ本体３０は、装置本体のフレーム４０と感光体ドラム１１の間に配置され、装置本体のフレーム４０に近接・離間する方向（感光体ドラム１１の表面に対して離間・近接する方向）に変位させることができる。前記フレーム４０は板状の部材であって、その長手方向両端に孔４１ａが穿設され、これらの孔４１ａに対して、円柱状のガイドロッド３６が挿通・支持されるもので、前記ガイドロッド３６は保持枠部材３３の天板３３ａの長手方向両端部に設けられている部材である。前記フレーム４０の上側には長い板状の被押圧板４２が配置され、ガイドロッド３６が孔４１ａに挿通された状態で、被押圧板４２の長手方向端部とガイドロッド３６とをネジ部材３６ｂで締結することで、前記被押圧板４２と保持枠部材３３とが固定される。このように、被押圧板４２と保持枠部材３３とを組み付けることによって、保持枠部材３３に保持されたＬＥＤ本体３０は被押圧板４２と一体的に、フレーム４０に対して摺動することで、感光体ドラム１１に離間・近接する方向に移動可能となる。
【００２３】
また、前記フレーム４０の上面には、図２に示すような孔４１ａの内側寄りの位置に、上側に開口した凹部４１ｂが形成され、前記被押圧板４２の下面には、両端よりも内側寄りの位置に、下側に開口する凹部（図示を省略）が形成されている。そして、前記ＬＥＤ本体３０、保持枠部材３３および被押圧板４２からなるＬＥＤヘッド１５を、フレーム４０に取付けた状態では、フレーム４０の凹部４１ｂと被押圧板４２の凹部とが対向し、圧縮コイルバネ４３の一端がフレーム４０の凹部４１ｂに嵌め込まれ、他端が被押圧板４２の凹部に嵌め込まれている。前記圧縮コイルバネ４３は、被押圧板４２をフレーム４０から離間させる方向に常に付勢している部材である。
【００２４】
前述したように構成されていることから、被押圧板４２に締結された保持枠部材３３に対して、ＬＥＤ本体３０が保持されており、前記ＬＥＤ本体３０がフレーム４０に近接する方向に、つまり、ＬＥＤ本体３０が感光体ドラム１１から離間する方向に、常に付勢されていることになる。したがって、前記被押圧板４２に外力が作用していない状態、すなわち、押圧手段５０の押圧レバー４５による押圧作用が解除された状態では、ＬＥＤ本体３０が感光体ドラム１１から離間するようになる。その状態では、圧縮コイルバネ４３のバネ力によって、被押圧板４２がフレーム４０から離間した位置、つまり、保持枠部材３３およびＬＥＤ本体３０がフレーム４０に近接し、かつ、感光体ドラム１１から離間した位置に移動することになるのである。そして、そのままの状態で、ＬＥＤ本体３０がフレーム４０側に移動すると、保持枠部材３３の上突部材３７がフレーム４０に突き当たって、それ以上の移動されることが阻止されることになる。しかしながら、前記上突部材３７を逃がすための貫通孔４１が、前記フレーム４０には穿設されているため、感光体ドラム１１の表面に対して、ＬＥＤ本体３０をできるだけ離間させることができる。
【００２５】
感光体ドラム１１に対する書き込み位置に、前記ＬＥＤヘッド１５を移動させる際に、前記押圧手段５０が作動されて、押圧レバー４５によりＬＥＤヘッド１５（詳しくは、被押圧板４２）が押圧されると、ＬＥＤヘッド１５は圧縮コイルバネ４３の力に抗って、感光体ドラム１１の表面に向けて接近される。なお、前記押圧手段５０は、装置本体に現像器７が保持されていない時、詳しくは、装置本体の収容スペース７ａ内部に正確に位置決めされてなく、少しでも現像器７が収容スペース７ａから外れている時には、前記押圧レバー４５は被押圧板４２を押圧しないように構成されている。つまり、装置本体に現像器７が保持されていない状態では、被押圧板４２に対する押圧力が付与されないために、圧縮コイルバネ４３のバネ力によって、ＬＥＤヘッド１５が感光体ドラム１１から離間した位置に保持されている。
【００２６】
したがって、前記現像器７を収容スペース７ａから引き出す際に、現像ローラ８に付着していたトナーが舞い散ったとしても、前記ＬＥＤヘッド１５は感光体ドラム１１および現像器７から離れた位置に退避しているために、そのレンズ面がトナーによって汚染されることを抑えることができる。他方、前記押圧手段５０は、装置本体の収容スペース７ａに対して、現像器７が完全に位置決めして収容された状態で、前記現像器７が保持されている時には、被押圧板４２を押圧レバー４５により押圧するように構成されている。この状態において、ＬＥＤヘッド１５は圧縮コイルバネ４３のバネ力に抗して、レンズを感光体ドラム１１表面に近接させた位置に押圧保持する。
【００２７】
前述したような作用を行う押圧手段５０においては、図６〜図８に示すように、装置本体のフレーム４０の上面から立設する一対のブラケット４７に、シャフト４６が回転可能に支持され、自軸まわりに回転するシャフト４６に対して、所定の間隔を介して２つの押圧レバー４５が固定保持されている。そして、前記シャフト４６の長手方向中央部に動作レバー４８が固定され、この動作レバー４８に連動手段としてのワイヤ４９の一端が接続されている。なお、これらのシャフト４６、押圧レバー４５および動作レバー４８によって、押圧部材が構成されるのである。
【００２８】
前記装置本体のフレーム４０の上面には、その略中央位置に、ワイヤ４９にテンションを付与する張力付与手段としてのプーリ５９が取付けられる。そして、前記フレーム４０のリヤ側の位置に、揺動部材としての動作アーム５１が、その支点部Ｃ（支軸５２）において、前記支軸５２を中心にして回転可能に取り付けられている。前記動作アーム５１の作用点部Ｂ（短いアーム部材５３）に、前記ワイヤ４９の他端が接続され、このワイヤ４９に張力を付与するような状態で、前記プーリ５９を介して配置する。また、前記フレーム４０においては、現像器７の収容スペース７ａの真上位置に、支軸５２を中心とする円弧状のガイド孔５５が形成されており、前記動作アーム５１の力点部Ａに設けられて、鉛直下方（図８の紙面の奥側）に延びるように設けたガイドピン５４が、このガイド孔５５内に挿通されている。
【００２９】
前述したような構成を有する押圧手段５０の動作について説明すると、まず、オペレータが現像器７を装置本体の収容スペース７ａに対して、そのフロント側から押し込むようにして装着すると、図８に実線で示す非作用位置に位置している動作アーム５１に対しては、前記現像器７の先端面がそのガイドピン５４に当接する。前記現像器７が、さらに押し込まれると、ガイドピン５４が現像器の端面により、より押し込まれて、ガイド孔５５に案内されながら、装置本体のリヤ側（図８の上側）に移動する。この動作に伴って、アーム部材５１が図８の仮想線で示す作用位置に向けて、支軸５２を中心にして角度が変位する。
【００３０】
その動作によって、ワイヤ４９によって動作レバー４８が引っ張られてシャフト４６が回転し、押圧レバー４５が軸まわりに傾斜し、ＬＥＤヘッド１５の被押圧板４２を押圧し始める。したがって、前記ＬＥＤヘッド１５は圧縮コイルバネ４３のバネ力に抗して、感光体ドラム１１に近接するように移動する。さらに、現像器７が押し込まれて、装置本体の保持スペース７ａに保持される状態となると、動作アーム５１も作用位置に固定保持されるため、押圧レバー４５が最も強い力で被押圧板４２を押圧するとともに、ＬＥＤヘッド１５が感光体ドラム１１に最も近接する状態の、画像を書き込む位置に保持される。
【００３１】
他方、現像器７を装置本体から取り外すために、現像器に対する保持状態から解除されると、つまり、現像器７を収容スペース７ａから少しでも引き抜くと、現像器７の端面が動作アーム５１のガイドピン５４が押圧される状態から開放される。そして、圧縮コイルバネ４３のバネ力によって、被押圧板４２がフレーム４０から離間する位置に押しやられて、ＬＥＤヘッド１５から離間する。前記被押圧板４２を押し戻す方向への動作により、押圧レバー４５も図６に実線で示す作用位置から、仮想線で示す非作用位置に変位し、ワイヤ４９を介して動作アーム５１が図８の仮想線で示す作用位置から、実線で示す非作用位置に変位することになる。この状態で、さらに現像器７を引き抜くと、その際に、現像ローラ８の表面からトナーが遊離して舞い散ったとしても、ＬＥＤヘッド１５は、感光体ドラム１１および現像器７から離間して位置しているため、前記ＬＥＤヘッド１５のレンズ表面が、トナーによって汚染されることがない。
【００３２】
前述したように、現像器７を現像位置に保持する状態を解除して、収容スペース７ａから現像器７を少しだけ引き抜くことで、押圧レバー４５がＬＥＤヘッド１５を押圧する作用が解除される。さらに、ＬＥＤヘッドに押圧力を作用させないようにするために、本実施例では、動作アーム５１の作用点部にコイルバネ４９Ｂの一端を接続し、他端を図示しないブラケットに接続して、現像器７の端面が力点部Ａを押圧していない場合には、このコイルバネ４９Ｂのバネ力によって、動作アーム５１を図８の実線で示す被作用位置に復帰させるように構成することもできる。また、前記シャフト４６に対して、図示を省略するトーションスプリングを取付けて、フロントカバー６０のリブ６２による押圧が解除されたときには、このトーションスプリングのバネ力で、押圧レバー４５を図６に鎖線で示す非作用位置に戻すように構成しても良い。
【００３３】
前述したように構成した本実施例の画像形成装置によれば、現像器７を取り外す動作、特に、現像器７の保持状態を解除する動作に連動して、ＬＥＤヘッド１５が感光体ドラム１１から自動的に離間させるようにする。したがって、画像形成装置１のメンテナンスを行う際、具体的には、現像器７を装置本体から取り外す際には、ＬＥＤヘッド１５が感光体ドラム１１から離間しているので、感光体ドラム１１や現像ローラ８からトナーが遊離して舞い散ったとしても、ＬＥＤヘッド１５の光照射面がトナーによって汚されることが防がれる。特に、現像器７を装置本体から取り外す動作に連動させて、ＬＥＤヘッド１５を感光体ドラム１１から離間させておくことにより、現像器７を取り外す際に、ＬＥＤヘッド１５を離間させるための操作を、オペレータに負担させる必要もないという効果を奏することができる。
【００３４】
なお、前記ＬＥＤヘッド１５を押圧するための押圧手段５０としては、本発明の実施例に示す装置のように構成することに限られず、例えば、ワイヤ４９が巻き掛けられるプーリ５９の配設位置や、ワイヤの掛け渡し経路等は、その画像形成装置の記録部の構造等に応じて、適宜変更されるものである。また、前記押圧手段５０として、現像器７の収容スペース７ａのリヤ側の側部に、出没可能な摺動軸を配置して、現像器を挿入することにより、その摺動軸が押されることに追従させて、前記シャフト４６を傾倒させるように構成することも、本発明の範囲に含まれる。
【図面の簡単な説明】
【００３５】
【図１】画像形成装置の構成を示す説明図である。
【図２】ＬＥＤヘッドの分解斜視図である。
【図３】ＬＥＤヘッドの組立斜視図である。
【図４】ＬＥＤヘッドの側面図である。
【図５】ＬＥＤヘッドを発光面側から見た斜視図である。
【図６】押圧手段の作用部の側面図である。
【図７】押圧手段の作用部の平面図である。
【図８】ＬＥＤヘッドの連動機構の構成を示す説明図である。
【符号の説明】
【００３６】
１    画像形成装置、  ２    給紙トレイ、  ３    給紙ローラ、  ４    用紙搬送路、  ５    レジストローラ装置、  ７    現像器ユニット、  ８    パドル、  ９    現像ローラ、  １０    記録部、  １１    感光体ドラム、  １２    クリーニング装置、  １３    帯電器、  １４    転写ローラ、  １５    書込み装置、  １６    定着装置、  １７    排出ローラ装置、  １８    排出トレイ、  ２０    戻し路、  ２１    ゲート、  ２２    搬送ローラ装置、  ２３    中間体、  ２４    側板、  ２５    手差しトレイ、  ２６    給紙ローラ、  ３０    ＬＥＤヘッド、  ３１    光出力部、  ３２    側突部、  ３３    保持枠、  ３４    側板、  ３５    ガイド溝、  ３６    上突部材、  ４０    上枠、  ４２    押し板、  ４３    スプリング、  ４５    押圧レバー、  ４６    シャフト、  ４７    ブラケット、  ４８    動作レバー、  ４９    ワイヤ、  ５１    動作アーム、  ５２    支軸、  ５３    作用部、  ５４    ガイド部材、  ５５    ガイド溝、  ５９    ガイドプーリ。
【図１】
2006018126.tif 000003
【図２】
2006018126.tif 000004
【図３】
2006018126.tif 000005
【図４】
2006018126.tif 000006
【図５】
2006018126.tif 000007
【図６】
2006018126.tif 000008
【図７】
2006018126.tif 000009
【図８】
2006018126.tif 000010